(57)【要約】【課題】  本考案による捕獲檻では、扉の誤落下防止を確実に行うことができ、また予期しない扉の落下に対しても足先等の安全を確実に確保できる捕獲檻を提供することを課題とする。【解決手段】  本考案においては、少なくとも一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖保持手段先端部が略水平から上方向に回動可能に形成されていることを特徴とする。【選択図】図１
0003135469.tif 000002
【実用新案登録請求の範囲】
【請求項１】
少なくとも一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖保持手段先端部が略水平から上方向に回動可能に形成されていることを特徴とする捕獲檻。
【請求項２】
少なくとも一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖部材が落下した際に檻底面から一定の高さを確保できるよう高さ調整可能な緩衝部材を設けたことを特徴とする捕獲檻。
【請求項３】
少なくとも一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖保持手段先端部が略水平から上方向に回動可能に形成されているとともに、前記閉鎖部材が落下した際に檻底面から一定の高さを確保できるよう高さ調整可能な緩衝部材を設けたことを特徴とする捕獲檻。
【考案の詳細な説明】
【技術分野】
【０００１】  本考案は、動物、特には猪などの大型獣を捕獲するのに好適な安全装置付き捕獲檻に関する。
【背景技術】
【０００２】  一般に、片側または両側端部に開口を有する角筒状の檻本体と、この開口部にドアが摺動可能に設置され垂直に降下して開口を塞ぐように構成された捕獲檻は公知である。これらの檻では、ワイヤ引っ掛け式、床面踏み込み式、回転式、揺動式等、種々の方式により動物が檻内に入った際にドアを自動的に作動させて動物を閉じ込める機構が採用されている。【０００３】  上記のような大型獣用の檻は自重が大きく、扉自体でもかなりの重量になるので、設置または保守の際に意図しない扉の落下により怪我をしないような工夫が必要である。このような目的として、特許文献１には落下防止安全ロック及び安全ゴムによる安全装置付きの檻が開示されている。この文献においては、落下防止安全ロックと開口停止ロックとが関係するロック装置が示されているが、その機構の詳細は述べられていない。いずれにしろ、２つの装置の共同作用による安全装置と考えられ、機構が複雑であってまたロックの確実性にも疑問がある。また、扉のレール下部には安全ゴムを配置して扉落下後の扉底面と檻との間に一定の間隔を保持するように構成されている。しかし、捕獲檻は一般的に野外に設置されるため、ゴムでは経時的な劣化が大きく、頻繁に交換する必要がある。また、扉と檻との間隔が調整できないため、安全性と捕獲した動物の逃亡防止との兼ね合いが難しかった。【０００４】
【特許文献１】特開２００２−３３５８４５号公報
【考案の開示】
【考案が解決しようとする課題】
【０００５】  上述の問題点に鑑みて本考案による捕獲檻では、扉の誤落下防止を確実に行うことができ、また予期しない扉の落下に対しても足先等の安全を確実に確保できる捕獲檻を提供することを課題とする。
【課題を解決するための手段】
【０００６】  上記課題を解決するため本考案においては、少なくとも一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖保持手段先端部が略水平から上方向に回動可能に形成されていることを特徴とする。【０００７】  また本考案の別の特徴としては、少なくとも一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖部材が落下した際に檻底面から一定の高さを確保できるよう高さ調整可能な緩衝部材を設けたことである。【０００８】  さらに本考案は、少なくとも一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖保持手段先端部が略水平から上方向に回動可能に形成されているとともに、前記閉鎖部材が落下した際に檻底面から一定の高さを確保できるよう高さ調整可能な緩衝部材を設けることもできる。
【考案の効果】
【０００９】  本考案による捕獲檻では、扉の誤落下防止を確実に行うことができ、また予期しない扉の落下に対しても足先等の安全を確実に確保できる。
【考案を実施するための最良の形態】
【実施例】
【００１０】  以下、本発明による捕獲檻の好適な実施例について、図面に基づいて説明する。図１は、本考案の実施例を示す側面図である。檻本体１の少なくとも片側には開口部を有し、扉２が配置されている。扉２は檻本体１開口部両側に設けられた扉案内レール１７（図２参照）内に嵌挿され、上下に摺動自在とされている。【００１１】  檻本体１上面には、扉２を開口上部に保持しまたその開口部を閉鎖するために保持を解除する扉保持手段及び保持解除手段が備えられている。これらの手段として本実施例においてはスライダ４を使用する。スライダ４は両側に設けた滑車５により檻本体１上面より浮かして配置され、檻本体１上面に沿って移動自在にされている。スライダ４上面にはホールドピン回動軸８が設けられ、ホールドピン６の一端を上下方向に回動自在に保持している。また、スライダ４の上面先端部付近にはピン受け７を配し、ホールドピン６を略水平に支持できるようにされている。ホールドピン６は棒状に形成されており、ホールドピン回動軸８に保持された端部と反対側の端部は扉２の摺動経路中に達する長さにされている。【００１２】  一方スライダ４のホールドピン回動軸８より後方には、中空のガイド９が檻本体１に固定され、中空内部にスライダ４が案内されている。スライダ最後部にはバネ係止ボルト１８が設けられ、このボルト１８を通してバネ１０によりスライダ４をガイド９に接続することにより、スライダ４を常に開口部方向に付勢している。バネ係止ボルト１８にはまた、ワイヤ１１が接続され、このワイヤ１１は本体１上に固定されたワイヤガイド１２を通して扉駆動機構（図示してない）に連絡されている。【００１３】  また、檻本体１の開口部下部にはドアストッパ１３が設けられている。ドアストッパ１３は緩衝部材１４、高さ調整ボルト１５及びナット１６からなり、高さ調整ボルト１５とナット１６により緩衝部材１４の高さ位置を調整できるように構成されている。このドアストッパ１３は、高さ調整作業のやりやすさを考慮して扉案内レール１７の横に設けることが望ましい。【００１４】  次に、本実施例の動作について説明する。檻本体１を設置して扉の閉まった状態から捕獲の仕掛けをセットする際には、檻本体１の前面から扉２を手で持ち上げる。扉２の上方にはホールドピン６が突出しているが、このホールドピン６は上方に回動可能にされているため、扉２を持ち上げると同時に回動して扉経路内から退避する。扉２下部背面にはホールドローラ３が設けられており、このホールドローラ３がホールドピン６よりも上になるまで扉２を持ち上げてから静かに下ろすと、ホールドピン６が扉経路内に戻ったところにホールドローラ３が当接し、扉２がホールドピン６により保持される。扉を持ち上げる際には力が必要であるが、ドアストッパ１３により扉２が檻本体１底面より一定の隙間が形成されているので、爪先を扉下方まで入れて持ち上げることが可能となり、力が入れやすいという利点がある。【００１５】  従来は、扉を持ち上げる際に扉の格子を通してホールドピンを押しやりながら行わなければならなかったため、作業が煩雑であり、また手を怪我する危険性も大きかった。本考案によれば、このような作業が容易にでき、また危険も回避することができる。【００１６】  万一、扉を持ち上げている途中で手を離してしまっても、ドアストッパにより扉下方には隙間が確保されるので、つま先を怪我するような事故を防止することができる。【００１７】  本考案に使用する扉駆動機構（仕掛け）は、動物の動きにより結果的にワイヤ１１を引っ張るようなものであればどのようなものでもよく、特に限定されるものではない。
【産業上の利用可能性】
【００１８】  本考案によれば、高い安全性の動物捕獲檻を提供でき、また作業の容易性も確保できるので、有害動物捕獲手段提供に大いに貢献できるものである。
【図面の簡単な説明】
【００１９】
【図１】本考案による捕獲檻の実施例を示した側面図である。
【図２】図１に示した実施例のドアストッパ説明図である。
【符号の説明】
【００２０】１            檻本体
２            扉
３            ホールドローラ
４            スライダ
５            滑車
６            ホールドピン
７            ピン受け
８            ホールドピン回動軸
９            ガイド
１０          バネ
１１          ワイヤ
１２          ワイヤガイド
１３          ドアストッパ
１４          緩衝部材
１５          高さ調整ボルト
１６          ナット
１７          扉案内レール
１８          バネ係止ボルト
【図１】
0003135469.tif 000003
【図２】
0003135469.tif 000004
【手続補正書】
【提出日】平成19年6月15日(2007.6.15)
【手続補正１】
【補正対象書類名】実用新案登録請求の範囲
【補正対象項目名】全文
【補正方法】変更
【補正の内容】
【実用新案登録請求の範囲】
【請求項１】
少なくとも一方の端部に開口を有する檻本体と、上下に摺動自在に前記開口部に配置した開口部閉鎖部材と、前記開口上部に該開口部閉鎖部材を保持できるよう構成された閉鎖部材保持手段と、前記檻本体内部に配置された作動手段に連動して前記閉鎖部材保持手段を解除し前記閉鎖部材を落下させる保持解放手段とからなる動物捕獲用檻において、前記閉鎖保持手段先端部が略水平から上方向に回動可能に形成されていることを特徴とする捕獲檻。
【請求項２】
前記閉鎖部材が落下した際に檻底面から一定の高さを確保できるよう高さ調整可能な緩衝部材を設けたことを特徴とする請求項１記載の捕獲檻。
【請求項３】
前記閉鎖保持手段先端部が略水平から上方向に回動可能に形成されているとともに、前記閉鎖部材が落下した際に檻底面から一定の高さを確保できるよう高さ調整可能な緩衝部材を設けたことを特徴とする請求項１または２記載の捕獲檻。